(57)【要約】【課題】  火災監視制御盤の電源制御回路において、（Ａ）主電源の保護のため、二次側負荷４００側から主電源側への電流の流れ込みを防止すること、（Ｂ）必要以上の充電電力の発生を抑制すること、である。【解決手段】  復旧時、回路電圧監視回路４０は、二次側負荷４００への供給電圧（回路電圧）が所定の基準電圧以上である場合、ＲＰリレー接点ＲＬ１ｂを予備電池側に接続させるとともに、ＲＢリレー接点ＲＬ２ｂをＯＦＦ（開放）させる。そして、回路電圧が基準電圧未満となると、ＲＢリレー接点ＲＬ２ｂをＯＮ（接続）させた後、ＲＰリレー接点ＲＬ１ｂを主電源側に接続させる。また、充電回路６０において、昇圧回路６２は、電流検出回路６６によって検出された充電電流の電流量に応じてスイッチングレギュレータ１０の出力電圧を昇圧した充電電圧を出力する。【選択図】図１
2005192274.tif 000002
【特許請求の範囲】
【請求項１】
通常時に電源回路から負荷へ電源供給し、停電時に予備電池から前記負荷へ電源供給するように電源を切り換える火災監視制御盤の電源制御回路において、
前記電源回路の出力電圧を昇圧して前記予備電池を定電流充電する充電回路と、
前記負荷と並列に接続され、電源切換時の前記負荷への供給電圧の瞬時低下を補償するコンデンサと、
前記負荷への供給電圧が所定の基準電圧を超えるか否かを監視する監視回路と、
前記監視回路により超えると判定されている間、前記電源回路から前記負荷への電源供給を禁止する第１の禁止回路と、
前記監視回路により超えると判定されている間、前記予備電池から前記負荷への電源供給を禁止する第２の禁止回路と、
を備え、復旧時に、前記コンデンサの蓄電電荷による前記負荷への供給電圧が前記基準電圧を超える場合、前記コンデンサが放電して前記負荷への供給電圧が前記基準電圧以下となるまでの間、前記電源回路及び前記予備電池から前記負荷への電源供給が禁止されることを特徴とする電源制御回路。
【請求項２】
前記第２の禁止回路は、前記負荷への供給電圧が前記基準電圧を越えた後に該基準電圧以下となった場合、前記第１の禁止回路が電源供給の禁止を解除した後に電源供給の禁止を解除することを特徴とする請求項１に記載の電源制御回路。
【請求項３】
通常時に電源回路から負荷へ電源供給し、停電時に予備電池から前記負荷へ電源供給するように電源を切り換える火災監視制御盤の電源制御回路において、
前記予備電池の出力電圧に応じて、前記電源回路の出力電圧を可変に昇圧して前記予備電池に定電流の充電電流を供給する充電回路と、
を備えたことを特徴とする電源制御回路。
【請求項４】
前記充電回路は、
前記電源回路の出力電圧を昇圧して出力する昇圧回路と、
前記昇圧回路から前記予備電池に供給される充電電流の電流量を検出する電流検出回路と、
を有し、前記昇圧回路の昇圧が前記検出された電流量に応じて可変されるように帰還制御を行うことを特徴とする請求項１〜３の何れか一項に記載の電源制御回路。
【発明の詳細な説明】
【技術分野】
【０００１】
本発明は、通常時に電源回路から負荷へ電源供給し、停電時に予備電池から負荷へ電源供給するように電源を切り換える火災制御盤の電源制御回路に関する。
【背景技術】
【０００２】
自動火災報知設備で用いられる火災監視制御盤（火災受信機）の電源制御回路は、通常時には商用電源等の主電源によって負荷に対する電源供給を行うとともに、主電源を用いて予備電池を充電しておき、停電が発生すると、負荷に対する電源供給を主電源から予備電池に自動的に切り換えるように構成されている。
【０００３】
図３に従来の電源制御回路の一例を示す。同図によれば、従来の電源制御回路８００は、スイッチングレギュレータ１０と、電源電圧監視回路２０と、予備電池高圧監視回路３２と、予備電池低圧監視回路３４と、ＲＢリレー切換回路５１と、充電回路６１とを備えて構成されている。そして、電源制御回路８００は、ＡＣ電源２００と予備電池３００とを電源供給元として、二次側負荷４００に対する電源供給を行う。
【０００４】
スイッチングレギュレータ１０は、商用電源であるＡＣ電源２００から供給される、例えばＡＣ１００Ｖの交流電力を所定電圧（例えば、２４Ｖ）の直流電力に変換して出力する電力変換回路であり、主電源を供給する電源回路を構成する。
【０００５】
電源電圧監視回路２０は、主電源電圧（即ち、スイッチングレギュレータ１０の出力電圧）を監視し、主電源電圧に応じて二次側負荷４００に対する電源供給元を切り換える回路であり、電源電圧検出回路２２と、ＲＰリレー切換回路２５とを有する。
【０００６】
電源電圧検出回路２２は、スイッチングレギュレータ１０の出力電圧（即ち、主電源電圧）を検出し、検出した主電源電圧が所定の主電源基準電圧Ｖ１（例えば、２３Ｖ）以上である場合には、ＲＰリレー接点ＲＬ１ｂを主電源側に接続させる切換信号をＲＰリレー切換回路２５に出力し、主電源基準電圧Ｖ１未満の場合には、ＲＰリレー接点ＲＬ１ｂを予備電池３００側に接続させる切換信号を出力する。
【０００７】
予備電池高圧監視回路３２は、予備電池３００の高圧を監視する回路であり、予備電池３００の出力電圧（電池電圧）が所定の高圧基準電圧Ｖ２以上である場合には、予備電池３００の充電が完了したと判断して、予備電池３００への充電電流の供給を停止させる充電停止信号を充電電流制御回路６４に出力する。
【０００８】
予備電池低圧監視回路３４は、予備電池３００の低圧異常を監視する回路であり、電池電圧が所定の低圧基準電圧Ｖ３以下である場合には、低圧異常が発生したと判断して、ＲＢリレー接点ＲＬ２ｂをＯＦＦ（開放）させる切離信号をＲＢリレー切換回路５１に出力するとともに、予備電池３００へ充電電流の供給を停止させる充電停止信号を充電電流制御回路６４に出力する。
【０００９】
充電回路６１は、主電源からの供給電力を用いて予備電池３００を充電する回路であり、昇圧回路６３と、充電電流制御回路６４と、充電電流作成回路６８とを有している。
【００１０】
昇圧回路６３は、スイッチングレギュレータ１０の出力電圧を所定の充電電圧に昇圧して出力する。
【００１１】
充電電流制御回路６４は、予備電池高圧監視回路３２又は予備電池低圧監視回路３４から充電停止信号が入力されると、昇圧回路６３から出力される充電電圧の充電電流作成回路６８に対する入力を遮断し、充電電流作成回路６８から予備電池３００への充電電流の供給を停止させる。
【００１２】
充電電流作成回路６８は、昇圧回路６３から出力される充電電圧に基づいて一定電流の充電電流を作成し、予備電池３００に供給する。
【００１３】
そして、従来の電源制御回路８００では、通常時には、ＲＰリレー接点ＲＬ１ｂが主電源側に接続され、ＡＣ電源２００から二次側負荷４００に対して電源供給されるとともに、充電回路６１によって予備電池３００が充電される。そして、停電が発生すると、ＲＰリレー接点ＲＬ１ｂが予備電池側に切り換えられ、二次側負荷４００に対する電源供給が主電源から予備電池３００に切り換わる。
【００１４】
また、従来の電源制御回路の他の例として、特許文献１に開示されている予備電池充電回路（電源制御回路）がある。かかる電源制御回路の回路構成を図４に示す。
【００１５】
図４によれば、特許文献１に記載の電源制御回路９００は、図３に示した従来の電源制御回路８００と比較して、（１）ＲＢリレー接点ＲＬ２ｂの位置が予備電池３００と充電回路６０との間に変更されているとともに、（２）スタートアップ回路７１が新たに設けられている。
【００１６】
そして、この電源制御回路９００では、（１）ＲＢリレー接点ＲＬ２ｂの位置が変更されたことで、予備電池３００の電池電圧が低圧基準電圧Ｖ３以下に低下した場合に、電池電圧がこれ以上低下することが防止される。
【００１７】
即ち、停電時には、放電（二次側負荷４００等への電源供給）によって予備電池３００の電池電圧が低下し、低圧基準電圧Ｖ３以下となると予備電池低圧監視回路３４によってＲＢリレー接点ＲＬ２ｂがＯＦＦ（開放）され、予備電池３００から二次側負荷４００に対する電源供給が停止される。しかし、従来の電源制御回路８００では、予備電池３００と充電回路６１と予備電池高圧監視回路３２と予備電池低圧監視回路３４とが接続されているので、ＲＢリレー接点ＲＬ２ｂがＯＦＦ（開放）された場合であっても、予備電池３００の充電電力が予備電池高圧監視回路３２及び予備電池低圧監視回路３４によって消費されて電池電圧が更に低下する。一方、電源制御回路９００では、ＲＢリレー接点ＰＬ２ｂがＯＦＦ（開放）されると、予備電池３００が充電回路６１から完全に切り離されるので、これ以上の電池電圧の低下はない。
【００１８】
また、（２）スタートアップ回路７１を新たに設けたことで、停電時に、新たな予備電池３００（十分に充電されている）が接続された場合に、予備電池３００自身の電池電圧によってＲＢリレー接点ＲＬ２ｂを接続（ＯＮ）させ、予備電池３００から二次側負荷４００に対する電力供給を開始させることができる。
【特許文献１】特開２００１−２６８８２０号公報
【発明の開示】
【発明が解決しようとする課題】
【００１９】
ところで、予備電池３００としては鉛蓄電池やニッカド電池等の二次電池が用いられるが、その電池電圧は、充電状態によって、例えば２０．４Ｖ〜２８．８Ｖといった具合に幅があるともに、周囲温度によっても変動する。このことに起因して、例えば図３、４に示したような従来の電源制御回路８００、９００では、次の問題が発生していた。
【００２０】
（Ａ）二次側負荷から主電源側への電流の流れ込み
従来の電源制御回路では、負荷に対する電源供給元の切り換えを、リレーを用いて実現しているが、この切換時には、リレーの動作時間（具体的には、数ｍ秒から数十ｍ秒）の間、負荷に対する電源供給が遮断し、供給電圧が一時的に低下する。そこで、負荷に対する供給電源によって充電される大容量の電圧補償コンデンサを負荷側に設け、この蓄電電圧によって負荷に対する供給電圧の一時低下を補償している。
【００２１】
従って、停電時には、電圧補償コンデンサは電池電圧で充電されるが、電池電圧が主電源電圧である２４Ｖよりも大きい場合、停電時の電圧補償コンデンサの蓄電電圧は主電源電圧よりも高くなる。そして、電圧補償コンデンサの蓄電電圧が主電源電圧より高い状態で主電源が復旧し、ＲＰリレー接点ＲＬ１ｂが主電源側に接続されると、電圧補償コンデンサの蓄電電圧と主電源電圧との電位差によって電圧補償コンデンサから主電源側へ電流が流れ込み、流れ込んだ電流によって主電源（スイッチングレギュレータ１０）に悪影響を及ぼすという問題があった。
【００２２】
また、かかる問題への対処方法として、主電源より二次側負荷４００側にダイオードを設けて主電源側への電流の流れ込みを防止する方法が考えられる。だがこの方法では、ダイオードの電圧降下により二次側負荷４００への供給電圧が低下する。また、ダイオードには火災監視制御盤の全負荷電流が流れるため、大電流を流せる大型パッケージのダイオードを用いなくてならない。更に、高負荷時には電力損失が大きくなる。このような様々な問題があった。尚、図３、４に示した電源制御回路８００、９００では、この問題への対応は為されていない。
【００２３】
（Ｂ）充電回路の電力損失
一方、充電回路６１において昇圧回路６３が出力する充電電圧は一定であり、この充電電圧に基づいて充電電流作成回路６８によって充電電流が作成される。また、上述のように、接続される予備電池３００の電圧によって必要な充電電圧が異なるため、昇圧回路６２が出力する充電電圧は、接続され得る予備電池３００の最大の電池電圧（例えば、２８．８Ｖ）に合わせた一定電圧に設定されている。
【００２４】
つまり、充電回路６１では、電池電圧の最大値に合わせた充電電力を生成しており、予備電池３００の必要電力以上の余剰電力は、充電回路６１内で熱として放出される等、損失となっていた。従って、電池電圧が低い程、昇圧回路６３の発生する充電電力に対する損失の割合が高くなっていた。
【００２５】
上記事情に鑑みて、本発明が解決しようとする課題は、火災監視制御盤の電源制御回路において、（Ａ）主電源の保護のため、二次側負荷４００側から主電源側への電流の流れ込みを防止すること、（Ｂ）必要以上の充電電力の発生を抑制すること、であるとともにこの（Ａ）、（Ｂ）の課題を安価に解決することである。
【課題を解決するための手段】
【００２６】
上記課題を解決するために、請求項１に記載の発明は、
通常時に電源回路から負荷へ電源供給し、停電時に予備電池から前記負荷へ電源供給するように電源を切り換える火災監視制御盤の電源制御回路において、
前記電源回路の出力電圧を昇圧して前記予備電池を定電流充電する充電回路（例えば、図１の充電回路６０）と、
前記負荷と並列に接続され、電源切換時の前記負荷への供給電圧の瞬時低下を補償するコンデンサ（例えば、図１の電圧補償コンデンサＣ１）と、
前記負荷への供給電圧が所定の基準電圧を超えるか否かを監視する監視回路（例えば、図１の回路電圧監視回路４０；図２の抵抗Ｒ２１、Ｒ２２、コンパレータＣＭＰ４）と、
前記監視回路により超えると判定されている間、前記電源回路から前記負荷への電源供給を禁止する第１の禁止回路（例えば、図１の回路電圧監視回路４０；図２のトランジスタＴＲ２１、ＴＲ２３）と、
前記監視回路により超えると判定されている間、前記予備電池から前記負荷への電源供給を禁止する第２の禁止回路（例えば、図１の回路電圧監視回路４０；図２のトランジスタＴＲ２１、ＴＲ２２）と、
を備え、復旧時に、前記コンデンサの蓄電電荷により前記負荷への供給電圧が前記基準電圧を超える場合、前記コンデンサが放電して前記負荷への供給電圧が前記基準電圧以下となるまで前記電源回路及び前記予備電池から前記負荷への電源供給が禁止されることを特徴とする電源制御回路である。
【００２７】
この請求項１に記載の発明によれば、通常時に電源回路から負荷へ電源供給し、停電時に予備電池から負荷へ電源供給するように電源を切り換える火災監視制御盤の電源制御回路において、復旧時に、コンデンサの蓄電電荷による負荷への供給電圧が所定の基準電圧を超える場合、このコンデンサが放電して供給電圧が基準電圧以下となるまでの間、電源回路及び予備電池による負荷への電源供給が禁止される。
【００２８】
即ち、コンデンサは、電源切換時の負荷への供給電圧の瞬時低下を補償するためのものであるが、停電時には予備電池の電池電圧にほぼ等しい蓄電電圧に充電されるため、復旧時において、コンデンサの蓄電電圧が電源回路の出力電圧よりも高いと、コンデンサから電源回路側への電流の流れ込みが発生する。
【００２９】
そこで、上記基準電圧を、例えば電源回路の出力電圧値付近に設定しておくことで、コンデンサが放電してコンデンサによる供給電圧が電源回路の出力電圧値付近となるまでの間、電源回路及び予備電池による負荷への電源供給を禁止させることができる。即ち、コンデンサによる供給電圧が電源回路の出力電圧よりも高い間は電源回路と負荷とが接続されないので、負荷側から電源回路側への電流の流れ込みを防止できる。
【００３０】
この場合、請求項２に記載の発明のように、
請求項１に記載の電源制御回路の第２の禁止回路を、前記負荷への供給電圧が前記基準電圧を越えた後に該基準電圧以下となった場合、前記第１の禁止回路が電源供給の禁止を解除した後に電源供給の禁止を解除するように構成しても良い。
【００３１】
この請求項２に記載の発明によれば、請求項１に記載の発明と同様の効果を奏するとともに、負荷への供給電圧が基準電圧を超えた後にこの基準電圧以下となった場合には、電源回路から負荷への電源供給の禁止が解除された後、予備電池からの電源供給の禁止を解除することができる。即ち、電源回路による負荷への電源供給の再開よりも先に、予備電池による電源供給が行われないので、予備電池の出力電圧でコンデンサが再度充電されることを防止できる。
【００３２】
請求項３に記載の発明は、
通常時に電源回路から負荷へ電源供給し、停電時に予備電池から前記負荷へ電源供給するように電源を切り換える火災監視制御盤の電源制御回路において、
前記予備電池の出力電圧に応じて、前記電源回路の出力電圧を可変に昇圧して前記予備電池に定電流の充電電流を供給する充電回路（例えば、図１の充電回路６０）と、
を備えたことを特徴とする電源制御回路である。
【００３３】
この請求項３に記載の発明によれば、通常時に電源回路から負荷へ電源供給し、停電時に予備電池から負荷へ電源供給するように電源を切り換える火災監視制御盤の電源制御回路において、予備電池の出力電圧に応じて、電源回路の出力電圧を可変に昇圧して予備電池に定電流の充電電流を供給することができる。即ち、充電回路の出力電圧と予備電池の出力電圧との電位差を無くすような制御を実現できるので、予備電池の充電に必要十分な充電電力を供給し、必要以上の電力発生を抑制できる。
【００３４】
更に、請求項４に記載の発明のように、請求項１〜３の何れか一項に記載の電源制御回路において、
前記充電回路は、
前記電源回路の出力電圧を昇圧して出力する昇圧回路（例えば、図１の昇圧回路６２）と、
前記昇圧回路から前記予備電池に供給される充電電流の電流量を検出する電流検出回路（例えば、図１の電流検出回路６６；図２の抵抗Ｒ３１、Ｒ３２、Ｒ３３、トランジスタＴＲ２９）と、
を有し、前記昇圧回路の昇圧が前記検出された電流量に応じて可変されるように帰還制御を行うように構成しても良い。
【００３５】
この請求項４に記載の発明によれば、請求項１〜３の何れか一項に記載の発明と同様の効果を奏するとともに、予備電池に供給される充電電流の電流量を検出し、検出された電流量に応じて電源回路の昇圧が可変されるように帰還制御を行うことができる。
【発明の効果】
【００３６】
本発明によれば、火災制御盤の電源制御回路において、（Ａ）二次側負荷４００側から主電源側への電流の流れ込みを防止し、主電源を保護することができるとともに、（Ｂ）必要以上の充電電力の発生を抑制することができる。
【発明を実施するための最良の形態】
【００３７】
以下、図面を参照して、本発明を実施するための最良の形態を説明する。
【００３８】
＜回路構成＞
先ず、構成を説明する。
図１は、本実施形態における電源制御回路１００の回路構成を示すブロック図である。尚、同図において、図３に示した従来の電源制御回路８００と同一要素については同符合を付してある。
【００３９】
同図によれば、電源制御回路１００は、スイッチングレギュレータ１０と、電源電圧監視回路２０と、予備電池高圧監視回路３２と、予備電池低圧監視回路３４と、電圧補償コンデンサＣ１と、回路電圧監視回路４０と、ＲＢリレー切換回路５０と、充電回路６０と、スタートアップ回路７０とを備えて構成される。そして、電源制御回路１００は、ＡＣ電源２００と予備電池３００とを電源供給元として、二次側負荷４００に対する電源供給を制御する。
【００４０】
ＡＣ電源２００は、常時、例えばＡＣ１００Ｖの交流電力を供給する商用電源である。
また、予備電池３００は、鉛蓄電池やニッカド電池等の二次電池で構成される。
【００４１】
スイッチングレギュレータ１０は、ＡＣ電源２００の出力電力を、例えばＤＣ２４Ｖの直流電力に変換して出力する電力変換回路であり、主電源を供給する電源回路を構成する。そして、スイッチングレギュレータ１０の出力電圧、即ち主電源電圧が所定の主電源基準電圧Ｖ１（例えば、２３Ｖ）以上の状態が「通常」であり、ＡＣ電源２００からの電源供給が遮断されてスイッチングレギュレータ１０の出力電圧が主電源基準電圧Ｖ１未満の状態が「停電」に該当する。
【００４２】
電源電圧監視回路２０は、主電源電圧を監視し、二次側負荷４００に対する電源供給元の切り換えを制御する回路であり、電源電圧検出回路２２と、ＲＰリレー切換回路２４とを有する。
【００４３】
電源電圧検出回路２２は、スイッチングレギュレータ１０の出力電圧（即ち、主電源電圧）を検出し、検出した主電源電圧に応じた切換信号をＲＰリレー切換回路２４に出力する。具体的には、主電源電圧が主電源基準電圧Ｖ１以上である場合、即ち通常時には、ＲＰリレー接点ＲＬ１ｂを主電源側に接続させる切換信号を出力し、主電源電圧が主電源基準電圧Ｖ１未満である場合、即ち停電時には、ＲＰリレー接点ＲＬ１ｂを予備電池側に接続させる切換信号を出力する。
【００４４】
ＲＰリレー切換回路２４は、ＲＰリレー接点ＲＬ１ｂの接続を制御する回路であり、電源電圧検出回路２２及び回路電圧監視回路４０から入力される切換信号に従ってＲＰリレー接点ＲＬ１ｂの接続を択一的に切り換える。具体的には、双方の回路から主電源側に接続させる切換信号が入力されている場合には主電源側に接続させ、それ以外の場合には予備電池側に接続させる。
【００４５】
ＲＰリレー接点ＲＬ１ｂは、２つの接点を有するｃ接点であり、一方の接点は主電源側（具体的には、スイッチングレギュレータ１０の出力）に接続され、他方の接点は、予備電池側（具体的には、ＲＢリレー接点ＲＬ２ｂを介して予備電池３００の出力）に接続されている。
【００４６】
予備電池高圧監視回路３２は、予備電池３００の高圧を監視する回路である。具体的には、予備電池高圧監視回路３２は、予備電池３００の出力電圧（電池電圧）が所定の高圧基準電圧Ｖ２以上の場合には、予備電池３００への充電電流の供給を停止させる充電停止信号を充電電流制御回路６４に出力する。
【００４７】
予備電池低圧監視回路３４は、予備電池３００の低圧異常を監視する回路である。具体的には、電池電圧が所定の低圧基準電圧Ｖ３（但し、Ｖ３＜Ｖ２、である。）以下の場合には、低圧異常が発生したと判断して、ＲＢリレー接点ＲＬ２ｂをＯＦＦ（開放）させる切離信号をＲＢリレー切換回路５０に出力するとともに、予備電池３００への充電電流の供給を停止させる充電停止信号を充電電流制御回路６４に出力する。
【００４８】
電圧補償コンデンサＣ１は、二次側負荷４００への供給電圧（回路電圧）の瞬時低下を補償するための大容量コンデンサであり、二次側負荷４００側に、二次側負荷４００と並列に接続されている。また、電圧補償コンデンサＣ１は、電源又は予備電池３００からの供給電力によって蓄電され、ＲＰリレー接点ＲＬ１ｂの切り換え時等、回路電圧が電圧補償コンデンサＣ１の蓄電電圧よりも低下すると、蓄電電荷を放出（放電）して二次側負荷４００に対する一時的な電源供給元となる。
【００４９】
回路電圧監視回路４０は、回路電圧を監視する回路であり、第１の禁止回路及び第２の禁止回路を構成する。尚、回路電圧監視回路４０は、主電源からの供給電力によって動作する回路であり、停電時には動作しない。
【００５０】
具体的には、回路電圧監視回路４０は、通常時、回路電圧が保護基準電圧Ｖ４以上の場合には、ＲＰリレー接点ＲＬ１ｂの接続を予備電池側とさせる切換信号をＲＰリレー切換回路２４に出力し、主電源から二次側負荷４００への電源供給を禁止させるとともに、ＲＢリレー接点ＲＬ２ｂをＯＦＦ（開放）させる切離信号をＲＢリレー切換回路５０に出力し、予備電池３００から二次側負荷４００への電源供給を禁止させる。尚、保護基準電圧Ｖ４は、通常の主電源電圧値付近（例えば、２６Ｖ）に設定されている。
【００５１】
一方、回路電圧が保護基準電圧Ｖ４未満の場合には、ＲＰリレー接点ＲＬ１ｂの接続を主電源側とさせる切換信号をＲＰリレー切換回路２４に出力するとともに、ＲＢリレー接点ＲＬ２ｂをＯＮ（接続）させる接続信号をＲＢリレー切換回路５０に出力する。尚このとき、ＲＢリレー接点ＲＬ２ｂの接続（ＯＮ）のタイミングがＲＰリレー接点ＲＬ１ｂの主電源側への接続よりも遅くなるよう、切換信号及び接続信号を出力する。
【００５２】
ＲＢリレー切換回路５０は、ＲＢリレー接点ＲＬ２ｂの接続を制御する回路であり、予備電池低圧監視回路３４、回路電圧監視回路４０及びスタートアップ回路７０の何れかから切離信号が入力されると、ＲＢリレー接点ＲＬ２ｂをＯＦＦ（開放）させ、それ以外の場合にはＯＮ（接続）させる。
ＲＢリレー接点ＲＬ２ｂは、ＲＰリレー接点ＲＬ１ｂの他方の端子と予備電池３００との間に設けられている。
【００５３】
充電回路６０は、主電源からの供給電力を用いて予備電池３００を充電する回路であり、昇圧回路６２と、充電電流制御回路６４と、電流検出回路６６とを有する。
【００５４】
昇圧回路６２は、スイッチングレギュレータ１０の出力電圧を昇圧して充電電圧を出力する。また、この昇圧回路６２の昇圧は、電流検出回路６６から入力される充電電流の電流量によって制御される。具体的には、入力される電流量が大きい程低い充電電圧とし、電流値が小さい程高い充電電圧として、充電電流を一定に保つ。
【００５５】
充電電流制御回路６４は、予備電池高圧監視回路３２又は予備電池低圧監視回路３４から充電停止信号が入力された場合、予備電池３００への充電電流の供給を停止させる。
電流検出回路６６は、昇圧回路６２から予備電池３００に供給する充電電流を検出し、検出した電流量を昇圧回路６２に出力する。
【００５６】
即ち、充電回路６０は、予備電池３００に供給する充電電流を検出して昇圧回路６２に戻し、この充電電流によって充電電圧が可変されるように帰還制御を行うことで、充電電流を一定とした定電流充電を行っている。
【００５７】
スタートアップ回路７０は、停電時に新たに予備電池３００を接続した場合に、自身の電池電圧によって予備電池３００から二次側負荷４００への電源供給を開始させるための回路である。具体的には、新たに接続された予備電池３００の電池電圧が所定電圧以上であれば、ＲＢリレー接点ＲＬ２ｂを接続（ＯＮ）させる接続信号をＲＢリレー切換回路５０に出力する。
【００５８】
図２に、電源制御回路１００の具体的な回路構成図を示す。
同図によれば、電源電圧検出回路２２は、コンパレータＣＭＰ１と、トランジスタＴＲ１１と、抵抗Ｒ１１、Ｒ１２、Ｒ１３と、ツェナーダイオードＺＤ１とを有する。
【００５９】
コンパレータＣＭＰ１は、主電源により駆動電力が与えられて動作する素子であり、ツェナーダイオードＺＤ１の降下電圧（定電圧）を基準電圧として、直列接続された抵抗Ｒ１１、Ｒ１２で分圧された主電源電圧を比較する。そして、主電源電圧が主電源基準電圧Ｖ１以上の場合にはＬ信号を出力し、主電源基準電圧Ｖ１未満の場合にはＨ信号を出力する。また、コンパレータＣＭＰ１の出力端子は、トランジスタＴＲ１１のベース端子に接続されている。
【００６０】
従って、電源電圧検出回路２２では、主電源電圧が主電源基準電圧Ｖ１以上である場合、即ち通常時には、コンパレータＣＭＰ１からＬ信号が出力されてトランジスタＴＲ１１がＯＮとなり、一方、主電源電圧が主電源基準電圧Ｖ１未満の場合、即ち停電時には、コンパレータＣＭＰ１からＨ信号が出力されてトランジスタＴＲ１１がＯＦＦとなる。
【００６１】
回路電圧監視回路４０は、抵抗Ｒ２１、Ｒ２２と、コンパレータＣＭＰ４と、トランジスタＴＲ２１、ＴＲ２２、ＴＲ２３とを有する。
【００６２】
コンパレータＣＭＰ４は、主電源により駆動電力が与えられて動作する素子であり、ツェナーダイオードＺＤ１の降下電圧（定電圧）を基準電圧として、直列接続された抵抗Ｒ２１、Ｒ２２で分圧された回路電圧を比較する。そして、回路電圧が保護基準電圧Ｖ４以上の場合にはＬ信号を出力し、保護基準電圧Ｖ４未満の場合にはＨ信号を出力する。また、コンパレータＣＭＰ４の出力端子は、トランジスタＴＲ２１のベース端子に接続されている。
【００６３】
トランジスタＴＲ２１は、トランジスタＴＲ１１がＯＮ、即ち通常時であり、且つコンパレータＣＭＰ４からＬ信号が出力された場合にＯＮとなり、これ以外の場合にはＯＦＦとなる。
【００６４】
トランジスタＴＲ２２は、ベース端子にトランジスタＴＲ２１のコレクタ端子が接続されている。そして、トランジスタＴＲ２２は、トランジスタＴＲ１１、ＴＲ２１がともにＯＮの場合にＯＮとなり、これ以外の場合にはＯＦＦとなる。
【００６５】
トランジスタＴＲ２３は、ベース端子にトランジスタＴＲ２１のコレクタ端子が接続されている。そして、トランジスタＴＲ２３は、トランジスタＴＲ１１、ＴＲ２１がともにＯＮの場合にＯＮとなり、これ以外の場合にはＯＦＦとなる。
【００６６】
従って、回路電圧監視回路４０では、通常時であり、且つ回路電圧が保護基準電圧Ｖ４以上である場合に、コンパレータＣＭＰ４からＬ信号が出力され、トランジスタＴＲ２１、ＴＲ２２、ＴＲ２３がともにＯＮとなる。一方、通常時であり、且つ回路電圧保護基準電圧Ｖ４未満である場合には、コンパレータＣＭＰ４からＨ信号が出力され、トランジスタＴＲ２１、ＴＲ２２、ＴＲ２３がともにＯＦＦとなる。また、停電時には、コンパレータＣＭＰ４が動作せず、トランジスタＴＲ２１、ＴＲ２２、ＴＲ２３がともにＯＦＦとなる。
【００６７】
ＲＰリレー切換回路２４は、トランジスタＴＲ２４と、抵抗Ｒ２３と、ＲＰリレーＲＬ１とを有する。
【００６８】
トランジスタＴＲ２４は、ベース端子に抵抗Ｒ２３を介してトランジスタＴＲ１１のコレクタ端子が接続されているとともに、トランジスタＴＲ２３のコレクタ端子が接続されている。そして、トランジスタＴＲ２４は、トランジスタＴＲ１１がＯＮであり、且つトランジスタＴＲ２３がＯＦＦの場合にＯＮとなり、これ以外の場合にはＯＦＦとなる。
【００６９】
ＲＰリレーＲＬ１は、ＲＰリレーコイルＲＬ１ａと、ｃ接点を構成するＲＰリレー接点ＲＬ１ｂとから成る機械式リレーである。ＲＰリレーコイルＲＬ１ａは、一端が主電源に接続され、他端がトランジスタＴＲ２４のコレクタ端子に接続されている。そして、ＲＰリレーＲＬ１は、通常時であり、且つトランジスタＴＲ２４がＯＮである場合に、ＲＰリレーコイルＲＬ１ａが導通してＲＰリレー接点ＲＬ１ｂが主電源側に接続され、これ以外の場合には、ＲＰリレーコイルＲＬ１ａが非導通となってＲＰリレー接点ＲＬ１ｂが予備電池側に接続される。
【００７０】
従って、ＲＰリレー切換回路２４では、通常時であり、且つ回路電圧が保護基準電圧Ｖ４未満の場合に、トランジスタＴＲ２４がＯＮとなってＲＰリレー接点ＲＬ１ｂが主電源側に接続される。一方、これ以外の場合には、トランジスタＴＲ２４がＯＦＦとなってＲＰリレー接点ＲＬ１ｂが予備電池３００側に接続される。
【００７１】
予備電池高圧監視回路３２は、抵抗Ｒ１４、Ｒ１５と、コンパレータＣＭＰ２とを有する。そして、予備電池高圧監視回路３２では、電池電圧が高圧基準電圧Ｖ２以上の場合にコンパレータＣＭＰ２からＬ信号が出力され、高圧基準電圧Ｖ２未満の場合にはＨ信号が出力される。
【００７２】
予備電池低圧監視回路３４は、抵抗Ｒ１６、Ｒ１７、Ｒ１８、Ｒ１９と、コンパレータＣＭＰ３と、ツェナーダイオードＺＤ２とを有する。そして、予備電池低圧監視回路３４では、予備電池３００の出力電圧（電池電圧）が低圧基準電圧Ｖ３未満の場合にコンパレータＣＭＰ３からＬ信号が出力され、一方、低圧基準電圧Ｖ３以上の場合にはＨ信号が出力される。
【００７３】
ＲＢリレー切換回路５０は、トランジスタＴＲ２５、ＴＲ２６と、コンデンサＣ２と、抵抗Ｒ２４、Ｒ２５と、ダイオードＤ２、Ｄ３と、ＲＢリレーＲＬ２とを有する。
【００７４】
トランジスタＴＲ２５は、ベース端子に抵抗Ｒ２４を介して二次側負荷４００が接続されているとともに、トランジスタＴＲ２２のコレクタ端子、整流用のダイオードＤ２を介してコンパレータＣＭＰ３の出力端子が接続されている。そして、トランジスタＴＲ２５は、トランジスタＴＲ２２がＯＮの場合、又はコンパレータＣＭＰ３からＬ信号が出力された場合にＯＦＦとなり、これ以外の場合にはＯＮとなる。
【００７５】
トランジスタＴＲ２６は、ベース端子に抵抗Ｒ２５を介してトランジスタＴＲ２５のコレクタ端子が接続されている。そして、トランジスタＴＲ２６は、トランジスタＴＲ２５がＯＮの場合にＯＮとなり、これ以外の場合にはＯＦＦとなる。
【００７６】
また、トランジスタＴＲ２６のベース・エミッタ端子間にはコンデンサＣ２が接続されている。そして、トランジスタＴＲ２５がＯＮし、コンデンサＣ２の充電が開始される。そして、コンデンサＣ２が充電されるまでトランジスタＴＲ２６はＯＮできない。従って、トランジスタＴＲ２５がＯＮとなった後、一定時間をおいてトランジスタＴＲ２６がＯＮとなる。
【００７７】
ＲＢリレーＲＬ２は、ＲＢリレーコイルＲＬ２ａと、ａ接点を構成するＲＢリレー接点ＲＬ２ｂとから成る機械式リレーである。ＲＢリレーコイルＲＬ２ａは、一端がダイオードＤ３を介してトランジスタＴＲ２６のコレクタ端子と接続されているとともにダイオードＤ８を介してスイッチＳＷと接続され、他端が接地されている。そして、ＲＢリレーＲＬ２は、トランジスタＴＲ２６がＯＮである場合、又はスイッチＳＷがＯＮされた場合に、ＲＢリレーコイルＲＬ２ａが導通してＲＢリレー接点ＲＬ２ｂがＯＮ（接続）される。
【００７８】
従って、ＲＢリレー切換回路５０では、通常時且つ回路電圧が保護基準電圧Ｖ４以上の場合、又は予備電池３００の低圧異常が発生した場合に、トランジスタＴＲ２５、ＴＲ２６がＯＦＦしてＲＢリレー接点ＲＬ２ｂがＯＦＦ（開放）され、これ以外の場合にはＯＮ（接続）される。
【００７９】
ところで、回路電圧監視回路４０では、トランジスタＴＲ２１がＯＦＦすると、トランジスタＴＲ２２及びＴＲ２３がほぼ同時にＯＦＦする。すると、ＲＰリレー切換回路２４では、トランジスタＴＲ２４がＯＮしてＲＰリレーコイルＲＬ１ａが導通し、ＲＰリレー接点ＲＬ１ｂが主電源側に接続される。それと平行して、ＲＢリレー切換回路２４では、トランジスタＴＲ２５がＯＮし、コンデンサＣ２によって一定時間経過した後、トランジスタＴＲ２６がＯＮしてＲＢリレーコイルＲＬ２ａが導通し、ＲＢリレー接点ＲＬ２ｂがＯＮ（接続）される。即ち、コンデンサＣ２が設けられていることにより、ＲＰリレー接点ＲＬ１ｂが主電源側に切り換わるよりも、ＲＢリレー接点ＲＬ２ｂがＯＮとなるほうが遅い。
【００８０】
スタートアップ回路７０は、スイッチＳＷと、ダイオードＤ８とを有する。そして、スタートアップ回路７０では、スイッチＳＷがＯＮされると、予備電池３００の電池電圧によってＲＢリレーコイルＲＬ２ａが導通してＲＢリレー接点ＲＬ２ｂがＯＮ（接続）される。従って、停電後、電池電圧が低下した予備電池３００を充電された新たな予備電池３００に交換してスイッチＳＷをＯＮすることで、二次側負荷４００への電源供給を再開することができる。
【００８１】
昇圧回路６２は、スイッチング制御ＩＣ１と、チョークコイルＣＨ１と、ダイオードＤ４と、抵抗Ｒ２６、Ｒ２７とを有する。
【００８２】
スイッチング制御ＩＣ１は、電圧検出端子（ＩＮＶ）に入力される電圧を一定に保つようにスイッチングを制御するＩＣであり、この電圧検出端子（ＩＮＶ）には、直列接続された抵抗Ｒ２６、Ｒ２７の接続点が接続されている。即ち、スイッチング制御ＩＣ１は、この抵抗Ｒ２６、Ｒ２７の接続点の電位を一定に保つようにスイッチングを制御する。
【００８３】
従って、昇圧回路６２では、抵抗Ｒ２６、Ｒ２７の接続点の電位が一定に保たれるように主電源電圧を昇圧した充電電圧が生成・出力される。
【００８４】
充電電流制御回路６４は、トランジスタＴＲ２７、ＴＲ２８と、抵抗Ｒ２８、Ｒ２９、Ｒ３０とを有する。そして、充電電流制御回路６４では、コンパレータＣＭＰ２又はコンパレータＣＭＰ３からＬ信号が出力されると、トランジスタＴＲ２７がＯＦＦとなり、次いで、トランジスタＴＲ２８がＯＦＦとなって、昇圧回路６２から予備電池３００への充電電流の供給が遮断（停止）される。
【００８５】
電流検出回路６６は、抵抗Ｒ３１、Ｒ３２、Ｒ３３、Ｒ３４と、トランジスタＴＲ２９と、ダイオードＤ５、Ｄ６とを有する。
【００８６】
抵抗Ｒ３１と、直列接続された抵抗Ｒ３２及びＲ３３とは並列に接続されており、その両端には、昇圧回路６２から出力される充電電圧と電池電圧との電位差が印加されている。そして、抵抗Ｒ３１と、直列接続された抵抗Ｒ３２及びＲ３３とのそれぞれには、充電電圧に応じた大きさの充電電流が分流されて流れる。
【００８７】
トランジスタＴＲ２９は、ベース端子に直列接続された抵抗Ｒ３２とＲ３３との接続点が接続されている。そして、トランジスタＴＲ２９は、抵抗Ｒ３１に一定以上の電流が流れてベース・エミッタ間に一定以上の電圧が印加されるとＯＮとなる。
【００８８】
従って、電流検出回路６６では、充電電圧と電池電圧との電位差が一定以上である場合、トランジスタＴＲ２９がＯＮとなり、抵抗Ｒ３１、Ｒ３２、Ｒ３３によって分流された充電電流の一部が、整流用のダイオードＤ６、抵抗Ｒ３４を介して、昇圧回路６２の抵抗Ｒ２７に流れ込む。
【００８９】
すると、昇圧回路６２では、抵抗Ｒ２７に電流が流れ込むことで抵抗Ｒ２６とＲ２７との接続点の電位が上昇し、この結果、スイッチング制御ＩＣ１が、昇圧回路６２が出力する充電電圧を低下させるようにスイッチングを制御する。従って、抵抗Ｒ２７には分流された充電電流が流れ込むので、充電電流が大きい場合には充電電圧を低くし、充電電圧が小さい場合には充電電圧を高くするような制御、即ち定電流制御が行われる。
【００９０】
このように、充電回路６０では、充電電流の一部を電流検出回路６６から昇圧回路６２に戻し、この戻した電流の大きさに応じて充電電圧を可変する帰還制御を行っている。
【００９１】
＜動作＞
次に、電源制御回路１００の回路動作を説明する。
【００９２】
（Ａ）通常時
通常時には、ＲＰリレー接点ＲＬ１ｂが主電源側に接続され、主電源から二次側負荷４００に対する電源供給が行われるとともに、充電回路６０により、予備電池３００に対して、電池電圧に応じて充電電圧が可変される定電流充電が行われている。尚このとき、ＲＢリレー接点ＲＬ２ｂはＯＮ（接続）されている。また、回路電圧監視回路４０では、コンパレータＣＭＰ４からＨ信号が出力され、トランジスタＴＲ２１、ＴＲ２２、ＴＲ２３がＯＦＦとなっている。
【００９３】
（Ｂ）停電時
そして、停電が発生すると、ＲＰリレー接点ＲＬ１ｂが予備電池側に接続され、二次側負荷４００に対する電源供給が主電源から予備電池３００に切り換えられる。このとき、電圧補償コンデンサＣ１は電池電圧で充電される。
【００９４】
（Ｃ）復旧時
その後、主電源が復旧すると、電圧補償コンデンサＣ１の蓄電電圧が保護基準電圧Ｖ４未満の場合には、（Ａ）通常時と同様の回路動作に移行する。一方、電圧補償コンデンサＣ１の蓄電電圧が保護基準電圧Ｖ４以上である場合には、回路電圧監視回路４０において、コンパレータＣＭＰ４からＬ信号が出力され、トランジスタＴＲ２１、ＴＲ２２、ＴＲ２３がＯＮとなる。すると、ＲＰリレー切換回路２４では、トランジスタＴＲ２４がＯＦＦのままとなり、ＲＰリレー接点ＲＬ１ｂは予備電池側に接続されたままとなる。即ち、ＲＰリレー接点ＲＬ１ｂの主電源側への切り換わりが禁止される。また、ＲＢリレー切換回路５０では、トランジスタＴＲ２５、ＴＲ２６がＯＦＦし、ＲＢリレー接点ＲＬ２ｂがＯＦＦ（開放）されて、予備電池３００から二次側負荷４００に対する電源供給が禁止される。従って、主電源及び予備電池３００の何れからも二次側負荷４００に対する電源供給が行われない状態となるが、この状態は一時的なものであり、この状態における二次側負荷４００への電源供給は、電圧補償コンデンサＣ１の蓄電電荷によって行われる。
【００９５】
そして、電圧補償コンデンサＣ１が放電し、回路電圧が保護基準電圧Ｖ４未満に低下すると、回路電圧監視回路４０において、コンパレータＣＭＰ４からＨ信号が出力され、トランジスタＴＲ２１、ＴＲ２２、ＴＲ２３がＯＦＦとなる。すると、ＲＰリレー切換回路２４では、トランジスタＴＲ２４がＯＮしてＲＰリレーコイルＲＬ１ａが導通してＲＰリレー接点ＲＬ１ｂが主電源側に接続される。それと平行して、ＲＢリレー切換回路５０では、トランジスタＴＲ２５がＯＮし、コンデンサＣ２の作用によって一定時間経過した後、トランジスタＴＲ２６がＯＮし、ＲＢリレーコイルＲＬ２ａが導通してＲＢリレー接点ＲＬ２ｂがＯＮ（接続）される。つまり、ＲＰリレー接点ＲＬ１ｂが主電源側に切り換わった後に、ＲＢリレー接点ＲＬ２ｂがＯＮ（接続）される。即ち、（Ａ）通常時の状態に戻り、主電源による二次側負荷４００に対する電源供給が再開される。
【００９６】
（Ｄ）停電後
また、（Ｃ）停電時において、主電源の復旧前に電池電圧が低圧基準電圧Ｖ３未満まで低下すると、予備電池低圧監視回路３４によりＲＢリレー接点ＲＬ２ｂがＯＦＦ（開放）され、予備電池３００による二次側負荷４００に対する電源供給が停止される。このとき、ＲＰリレー接点ＲＬ１ｂは予備電池側に接続されたままであるので、二次側負荷４００に対する電源供給は、電圧補償コンデンサＣ１が完全に放電した後、完全に停止される。
【００９７】
その後、新たな予備電池３００（十分に充電されている）が接続され、更にスイッチＳＷがＯＮされると、スタートアップ回路７０により、ＲＢリレーコイルＲＬ２ａが導通してＲＢリレー接点ＲＬ２ｂがＯＮ（接続）され、新たに接続された予備電池３００から二次側負荷４００に対して電源供給が再開される。
【００９８】
＜作用・効果＞
以上のように、本実施形態の電源制御回路１００によれば、復旧時に、二次側負荷４００に対する電源供給元が予備電池３００から主電源に切り換わる際に電圧補償コンデンサＣ１による回路電圧が所定の保護基準電圧Ｖ４以上の場合には、回路電圧監視回路４０により、ＲＰリレー接点ＲＬ１ｂが予備電池側に接続されたままとされて主電源から二次側負荷４００への電源供給が禁止されるとともに、ＲＢリレー接点ＲＬ２ｂがＯＦＦ（開放）されて予備電池３００から二次側負荷４００への電源供給が禁止される。そして、電圧補償コンデンサＣ１が放電して回路電圧が保護基準電圧Ｖ４未満となると、コンデンサＣ２の作用により、ＲＰリレー接点ＲＬ１ｂが主電源側に接続が切り換えられた後、ＲＢリレー接点ＲＬ２ｂがＯＮ（接続）される。このため、復旧時における二次側負荷４００から主電源側への電流の流れ込みが防止される。
【００９９】
また、充電回路６０では、昇圧回路６２が、電流検出回路６６で検出されて帰還される充電電流が大きい程小さな充電電圧に昇圧するとともに、充電電流が小さい程大きな充電電圧に昇圧して出力するといった具合に、充電電流を一定に保つよう、電池電圧に応じて可変に昇圧された充電電圧を出力しているので、充電回路６０における必要量の充電電力を発生させて、必要以上の電力の発生が抑制される。
【０１００】
更に、図２に示すように、回路電圧監視回路４０及び電流検出回路６６は、コンパレータやトランジスタ、抵抗、ダイオードといった回路素子の組み合わせで構成されるので、上述した効果を得ることができる回路を安価に実現できる。
【０１０１】
尚、本発明の適用は、上述した実施の形態に限定されることなく、本発明の趣旨を逸脱しない範囲で適宜変更可能である。
【０１０２】
例えば、上述した実施の形態では、ＲＢリレー切換回路５０においてコンデンサＣ２を設けることでトランジスタＴＲ２６がＯＮするタイミングを遅らせ、回路電圧が保護基準電圧Ｖ４以上の場合に、ＲＰリレー接点ＲＬ１ｂが主電源側に接続された後に、ＲＢリレー接点ＲＬ２ｂがＯＮ（接続）されるように構成している。しかし、回路構成上、トランジスタＴＲ２１からＲＰリレーＲＬ１及びＲＢリレーＲＬ２それぞれまでの信号経路上にある回路素子の動作時間により、トランジスタＴＲ２１がＯＮした後、ＲＰリレー接点ＲＬ１ｂが主電源側へ切り換わるよりも、ＲＢリレー接点ＲＬ２ｂがＯＮ（接続）される方が必然的に遅くなる場合には、コンデンサＣ２を設けなくとも良い。
【０１０３】
具体的には、図２において、トランジスタＴＲ２２、ＴＲ２３、ＴＲ２４、ＴＲ２５、ＴＲ２６それぞれの動作時間がほぼ同一であれば、トランジスタＴＲ２６の動作時間に相当する分だけ、ＲＰリレー接点ＲＬ１ｂの主電源側が切り換わるよりもＲＢリレー接点Ｒｌ２ｂがＯＮ（接続）する方が遅くなるので、この場合にはコンデンサＣ２を設けなくとも良い。
【図面の簡単な説明】
【０１０４】
【図１】本実施形態における電源制御回路の回路構成を示すブロック図。
【図２】図１の電源制御回路の具体的な回路構成図。
【図３】従来の電源制御回路の回路構成を示すブロック図。
【図４】従来の電源制御回路の他の回路構成を示すブロック図。
【符号の説明】
【０１０５】
１００  電源制御回路
８０、９０  従来の電源制御回路
１０  スイッチングレギュレータ
２０  電源電圧監視回路
２２  電源電圧検出回路
２４、２５  ＲＰリレー切換回路
３２  予備電池高圧監視回路
３４  予備電池低圧監視回路
４０  回路電圧監視回路
５０、５１  ＲＢリレー切換回路
６０  充電回路
６２、６３  昇圧回路
６４  充電電流制御回路
６６  電流検出回路
６８  充電電流作成回路
７０、７１  スタートアップ回路
Ｃ１  電圧補償コンデンサ
ＲＬ１  ＲＰリレー
ＲＬ１ａ  ＲＰリレーコイル
ＲＬ１ｂ  ＲＰリレー接点
ＲＬ２  ＲＢリレー
ＲＬ２ａ  ＲＢリレーコイル
ＲＬ２ｂ  ＲＢリレー接点
ＣＭＰ１〜ＣＭＰ４  コンパレータ
ＴＲ１１〜ＴＲ２９  トランジスタ
Ｒ１１〜Ｒ３３  抵抗
Ｃ２  コンデンサ
Ｄ１〜Ｄ６  ダイオード
ＺＤ１、ＺＤ２  ツェナーダイオード
２００  ＡＣ電源
３００  予備電池
４００  二次側負荷
Ｖ１  主電源基準電圧
Ｖ２  高圧基準電圧
Ｖ３  低圧基準電圧
Ｖ４  保護基準電圧
【図１】
2005192274.tif 000003
【図２】
2005192274.tif 000004
【図３】
2005192274.tif 000005
【図４】
2005192274.tif 000006